(57)【要約】【課題】  再帰反射条件において再帰反射シートに施された色彩パターンの見え方を多様にし得る再帰反射シートを提供することを目的とする。【解決手段】  再帰反射シート１０は、一方の面に複数の再帰反射素子４を有する再帰反射層２と、再帰反射層２の再帰反射素子４側の面に対向して設けられ、所定の色彩パターンを有する背面層６と、再帰反射層２の一部と背面層６の一部とに接着する光透過性の結合層５と、を備える。結合層５のうち背面層６に接着する接着部５Ａ〜５Ｃの幅は、背面層６のうち接着部５Ａ〜５Ｃが接着する部分における色に応じて相違する。【選択図】    図２
2020166051.tif 000002
【特許請求の範囲】
【請求項１】
一方の面に複数の再帰反射素子を有する再帰反射層と、
前記再帰反射層の前記再帰反射素子側の面に対向して設けられ、所定の色彩パターンを有する背面層と、
前記再帰反射層の一部と前記背面層の一部とに接着する光透過性の結合層と、
を備え、
前記結合層のうち前記背面層に接着する接着部の幅は、前記背面層のうち前記接着部が接着する部分における色に応じて相違する
ことを特徴とする再帰反射シート。
【請求項２】
前記背面層は、背面本体層と、前記背面本体層の前記再帰反射層側の面に設けられる第１印刷層とを含む
ことを特徴とする請求項１に記載の再帰反射シート。
【請求項３】
前記接着部の少なくとも一部が、前記背面本体層及び前記第１印刷層の両方に接着する
ことを特徴とする請求項２に記載の再帰反射シート。
【請求項４】
前記結合層と前記第１印刷層との接着強度が、前記結合層と前記背面本体層との接着強度よりも低い
ことを特徴とする請求項３に記載の再帰反射シート。
【請求項５】
前記背面層が赤外線吸収性を有する
ことを特徴とする請求項１から４のいずれか１項に記載の再帰反射シート。
【請求項６】
前記背面層が赤外線反射性を有する
ことを特徴とする請求項１から４のいずれか１項に記載の再帰反射シート。
【請求項７】
前記再帰反射層が赤外線吸収性を有する
ことを特徴とする請求項１から６のいずれか１項に記載の再帰反射シート。
【請求項８】
前記再帰反射層が赤外線反射性を有する
ことを特徴とする請求項１から６のいずれか１項に記載の再帰反射シート。
【請求項９】
前記再帰反射層の前記再帰反射素子側と反対側に設けられる表面保護層と、
前記再帰反射層と前記表面保護層との間に設けられる第２印刷層と、
をさらに備える
ことを特徴とする請求項１から８のいずれか１項に記載の再帰反射シート。
【請求項１０】
前記結合層の少なくとも一部に透明以外の色が施されている
ことを特徴とする請求項１から９のいずれか１項に記載の再帰反射シート。
【発明の詳細な説明】
【技術分野】
【０００１】
本発明は、再帰反射シートに関する。
【背景技術】
【０００２】
再帰反射シートは、入射した光を光源側に反射させることができる性質を有する。このような再帰反射シートとして、例えば下記特許文献１には、再帰反射層と当該再帰反射層よりも光源側に位置する表面保護層との間に、所定の色彩パターンを有する印刷層が設けられたものが記載されている。このような構成によれば、日中などの通常条件では印刷層に施された色彩パターンを直接視認し得、夜間などの暗所においても再帰反射層で再帰反射した光によって上記色彩パターンを視認し得る。
【先行技術文献】
【特許文献】
【０００３】
【特許文献１】特開２００６−２８４８８８号公報
【発明の概要】
【発明が解決しようとする課題】
【０００４】
ところで、近年、意匠性の観点等から、夜間などの再帰反射条件において上記色彩パターンの見え方を多様にすることを求められる場合がある。しかし、上記特許文献１に開示される再帰反射シートでは、再帰反射層よりも光源側に色彩パターンが施されているため、当該色彩パターンの再帰反射条件における見え方は、通常条件における見え方と概ね同じになる傾向がある。このため、上記特許文献１に開示される再帰反射シートでは、再帰反射条件における色彩パターンの見え方を多様にすることが難しい。
【０００５】
そこで、本発明は、再帰反射条件において再帰反射シートに施された色彩パターンの見え方を多様にし得る再帰反射シートを提供することを目的とする。
【課題を解決するための手段】
【０００６】
上記課題を解決するため、本発明の再帰反射シートは、一方の面に複数の再帰反射素子を有する再帰反射層と、前記再帰反射層の前記再帰反射素子側の面に対向して設けられ、所定の色彩パターンを有する背面層と、前記再帰反射層の一部と前記背面層の一部とに接着する光透過性の結合層と、を備え、前記結合層のうち前記背面層に接着する接着部の幅は、前記背面層のうち前記接着部が接着する部分における色に応じて相違することを特徴とするものである。
【０００７】
本発明の再帰反射シートによれば、昼間などの通常条件において背面層に施された上記色彩パターンの色合いが変化なく視認され得る。しかし、上記色彩パターンは再帰反射層の再帰反射素子側の面に対向して設けられる背面層に施されている。このため、再帰反射条件において再帰反射層の再帰反射素子側とは反対側から光が入射した場合、当該光の多くが背面層に達する前に再帰反射素子によって再帰反射される。したがって、上記色彩パターンが通常条件とは異なった見え方になり得る。具体的には、再帰反射条件において、上記色彩パターンが白みがかった、又は黒みがかった色合いとして視認される傾向が強くなる。なお、本明細書における色には透明が含まれる。
【０００８】
本発明の再帰反射シートでは、上記接着部の幅が、背面層のうち当該接着部が接着する部分の色に応じて相違する。このような構成によれば、幅の広い接着部が接着する領域では、再帰反射する光の量が相対的に少なくなり得、再帰反射の影響が相対的に小さくなり得る。その結果、背面層のうち幅の広い接着部が接着する領域の再帰反射条件における見え方は、通常条件において視認される色合いと比較的近い色合いになり得る。一方、幅の狭い接着部が接着する領域では、再帰反射する光の量が相対的に多くなり得、再帰反射の影響が相対的に大きくなり得る。その結果、背面層のうち幅の狭い接着部が接着する領域の再帰反射条件における見え方が、白みがかった、又は黒みがかった色合いになり得る。
【０００９】
このように、本発明の再帰反射シートによれば、再帰反射条件において再帰反射シートに施された色彩パターンの見え方を多様にし得る。
【００１０】
なお、前記背面層は、背面本体層と、前記背面本体層の前記再帰反射層側の面に設けられる第１印刷層とを含んでもよい。
【００１１】
このような構成によれば、背面本体層に施された色彩パターンと、第１印刷層に施された色彩パターンとを組み合わせて再帰反射シートの色彩パターンを形成し得るため、背面層が１層のみからなる場合に比べて、再帰反射シートの色彩パターンを多様にすることができる。
【００１２】
背面層が背面本体層と第１印刷層とを含む場合、前記接着部の少なくとも一部が、前記背面本体層及び前記第１印刷層の両方に接着してもよい。
【００１３】
この場合、背面本体層に接着する接着部の面積と第１印刷層に接着する接着部の面積との比率を、当該接着部が接着する背面層の色に応じて変化させることで、再帰反射条件において再帰反射シートに施された色彩パターンの見え方をより多様にし得る。
【００１４】
また、接着部の少なくとも一部が背面本体層及び第１印刷層の両方に接着する場合、前記結合層と前記第１印刷層との接着強度が、前記結合層と前記背面本体層との接着強度よりも低くてもよい。
【００１５】
この場合、背面層から結合層を剥がそうとした際、第１印刷層と結合層との接着強度が背面本体層と結合層との接着強度よりも低いため、結合層が背面層と接着する部分のうち、第１印刷層に接着している部分が背面層から優先的に剥がれ得る。したがって、背面層に施された色彩パターンに由来する図柄や文字等の改ざんを防止し得る。
【００１６】
また、前記背面層が赤外線吸収性を有してもよい。
【００１７】
この場合、赤外線カメラで認識される色彩パターンを、赤外線吸収性を有しない他の再帰反射シートの色彩パターンと異ならせ得る。
【００１８】
また、前記背面層が赤外線反射性を有してもよい。
【００１９】
この場合、赤外線カメラで認識される色彩パターンを、赤外線反射性を有しない他の再帰反射シートの色彩パターンと異ならせ得る。
【００２０】
また、前記再帰反射層が赤外線吸収性を有してもよい。
【００２１】
この場合、赤外線が再帰反射シートで再帰反射することを抑制することができる。
【００２２】
また、前記再帰反射層が赤外線反射性を有してもよい。
【００２３】
この場合、再帰反射シートにおける赤外線の再帰反射性を向上させ得る。
【００２４】
また、本発明の再帰反射シートは、前記再帰反射層の前記再帰反射素子側と反対側に設けられる表面保護層と、前記再帰反射層と前記表面保護層との間に設けられる第２印刷層と、をさらに備えてもよい。
【００２５】
この場合、背面層に施された色彩パターンと第２印刷層に施された色彩パターンとから再帰反射シートの色彩パターンを形成し得るため、第２印刷層を設けない場合に比べて、再帰反射条件において再帰反射シートに施された色彩パターンの見え方をより多様にし得る。
【００２６】
また、前記結合層の少なくとも一部に透明以外の色が施されてもよい。
【００２７】
この場合、背面層に施された色彩パターンと結合層に施された色彩パターンとから再帰反射シートの色彩パターンを形成し得るため、結合層が透明である場合に比べて、再帰反射条件において再帰反射シートに施された色彩パターンの見え方をより多様にし得る。
【発明の効果】
【００２８】
以上のように、本発明によれば、再帰反射条件において再帰反射シートに施された色彩パターンの見え方を多様にし得る再帰反射シートが提供される。
【図面の簡単な説明】
【００２９】
【図１】本発明の第１実施形態に係る再帰反射シートの厚さ方向の断面の一部を概略的に示す図である。
【図２】本発明の第２実施形態に係る再帰反射シートを図１と同様の視点で示す図である。
【図３】本発明の第３実施形態に係る再帰反射シートを図１と同様の視点で示す図である。
【図４】本発明の第４実施形態に係る再帰反射シートを図３と同様の視点で示す図である。
【発明を実施するための形態】
【００３０】
以下、本発明に係る再帰反射シートを実施するための形態が添付図面とともに例示される。以下に例示する実施形態は、本発明の理解を容易にするためのものであり、本発明を限定して解釈するためのものではない。本発明は、その趣旨を逸脱することなく、以下の実施形態から変更、改良することができる。なお、以下に参照する図面では、理解を容易にするために、各部材の寸法を変えて示す場合がある。
【００３１】
（第１実施形態）
図１は、第１実施形態に係る再帰反射シート１０の厚さ方向の断面の一部を概略的に示す図である。図１に示すように、本実施形態の再帰反射シート１０は、いわゆるカプセル型の再帰反射シートとされ、表面保護層１と、再帰反射層２と、結合層５と、背面層６と、粘着剤層７と、剥離層８と、を主な構成として備える。具体的には、再帰反射シート１０は、厚さ方向の上側から下側に向かって表面保護層１、再帰反射層２、結合層５、背面層６、粘着剤層７、及び剥離層８が積層された積層構造とされる。
【００３２】
この再帰反射シート１０は、表面保護層１側から正面視した場合に、後述する背面層６に施された色彩パターンに応じて、領域ごとに異なった色で視認される。すなわち、再帰反射シート１０は、正面視した際に互いに視認される色の異なる第１領域１０Ａ、第２領域１０Ｂ、及び第３領域１０Ｃを含んでいる。
【００３３】
表面保護層１は、光透過性の層とされ、再帰反射層２のうち再帰反射シート１０の使用時に観察者側となる面Ｆ１を保護する層である。また、表面保護層１は、再帰反射シート１０の使用時において再帰反射シート１０の最も外側となる層である。再帰反射シート１０に優れた再帰反射性を備えさせる観点から、表面保護層１は透明な樹脂層とされてもよい。また、表面保護層１の全光線透過率は例えば８０％以上とされることが好ましい。
【００３４】
このような表面保護層１を構成する材料として、例えば、アクリル系樹脂、アルキド系樹脂、フッ素系樹脂、塩化ビニル系樹脂、ポリエステル系樹脂、ウレタン系樹脂、ポリカーボネート系樹脂等が挙げられる。これらの樹脂は、１種類が単独で用いられてもよく、複数種類が混合して用いられてもよい。表面保護層１に耐候性や加工性を備えさせる観点からは、アクリル系樹脂、ポリエステル系樹脂、塩化ビニル系樹脂が好ましい。さらに塗工適性や着色する際の着色剤の分散性等を考慮するとアクリル系樹脂が好ましい。なお、表面保護層１には、透明性を著しく損なわない範囲で、紫外線吸収剤、光安定剤、熱安定剤、可塑剤、架橋剤、酸化防止剤、防カビ剤、着色剤等の様々な添加剤を適宜添加することができる。
【００３５】
再帰反射層２は、板状の保持体部３と、複数の再帰反射素子４とを有する。保持体部３の一方の面Ｆ１は表面保護層１で覆われ、保持体部３の他方の面Ｆ２には複数の再帰反射素子４が設けられている。本実施形態の再帰反射層２では、保持体部３と複数の再帰反射素子４とが一体に形成され、再帰反射層２は１層の光透過性の樹脂層とされる。
【００３６】
複数の再帰反射素子４は、入射した光を再帰反射させるのに適した反射面を有している限り特に限定されるものではない。例えば、三角錐などの多面体状や所謂キューブコーナー形状の再帰反射素子４が最密充填状に配置される場合、再帰反射性が優れるので好ましい。
【００３７】
再帰反射シート１０に優れた再帰反射性を備えさせる観点から、再帰反射層２は、例えば透明な樹脂層とされてもよい。再帰反射層２を構成する材料として、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー系樹脂等が挙げられる。これらの樹脂は、１種類が単独で用いられてもよく、複数種類が混合して用いられてもよい。また、再帰反射層２の透明性や耐候性等を高める観点からは、再帰反射層２は、アクリル系樹脂、ウレタン系樹脂、フッ素系樹脂、ポリカーボネート系樹脂等からなることが好ましい。なお、再帰反射層２には、透明性を著しく損なわない範囲で、紫外線吸収剤、光安定剤、熱安定剤、可塑剤、架橋剤、酸化防止剤、防カビ剤、着色剤等の様々な添加剤を適宜添加することができる。
【００３８】
結合層５は、複数の再帰反射素子４の一部と背面層６の一部とを結合する層であり、光透過性を有している。本実施形態の結合層５は、厚さ方向の断面において概ね複数の柱状に視認される。なお、結合層５の形状はこれに限られるものではない。このような結合層５は、再帰反射素子４に接着される上端部の幅と、背面層６に接着される下端部の幅とが概ね同様の長さになる傾向がある。なお、本明細書において「幅」とは、厚さ方向の断面において再帰反射シート１０の主面方向に沿った長さをいう。ここで、背面層６に接着される結合層５の下端部を接着部と呼ぶと、本実施形態の結合層５は、幅が互いに異なる３種類の接着部５Ａ〜５Ｃを含んでいる。接着部５Ａの幅をＬ１、接着部５Ｂの幅をＬ２、及び接着部５Ｃの幅をＬ３とすると、本実施形態では、幅Ｌ１〜Ｌ３の大きさの関係がＬ２＞Ｌ１＞Ｌ３とされる。このような結合層５は、厚さ方向の上側の端部において再帰反射層２の一部に接着され、厚さ方向の下側の端部において背面層６の一部に接着される。また、本実施形態の再帰反射シート１０は、接着部５Ａが上記第１領域１０Ａに、接着部５Ｂが上記第２領域１０Ｂに、接着部５Ｃが上記第３領域１０Ｃに、それぞれ位置するように構成される。
【００３９】
図１に示すように、再帰反射層２と背面層６との間にこのような結合層５が介在することによって、複数の再帰反射素子４の一部と背面層６の一部とが結合層５を介して結合されるとともに、複数の再帰反射素子４の他の一部と背面層６の他の一部との間に空隙９が形成される。
【００４０】
再帰反射条件では、このように複数の再帰反射素子４の他の一部が空隙９と接することによって、再帰反射シート１０に入射した光は、複数の再帰反射素子４の当該他の一部において再帰反射する。一方、複数の再帰反射素子４のうち光透過性の結合層５が結合される部分では、上記光は再帰反射されにくく、結合層５を透過して下方の背面層６に達し得る。こうして、再帰反射条件では、結合層５を透過して下方の背面層６に達した光によって、背面層６に施された後述する色彩パターンが所定の色合いで視認され得る。
【００４１】
本実施形態において、結合層５の色は透明とされ、結合層５は樹脂から形成される。結合層５を構成する樹脂としては、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー系樹脂、エポキシ系樹脂等が挙げられる。これらの樹脂は、１種類が単独で用いられてもよく、複数種類が混合して用いられてもよい。また、結合層５の透明性や耐候性等を高める観点から、結合層５は、アクリル系樹脂、ウレタン系樹脂、フッ素系樹脂、ポリカーボネート系樹脂等からなることが好ましい。
【００４２】
背面層６は、再帰反射層２の再帰反射素子４側の面に対向して設けられる層であり、背面本体層６１と第１印刷層６２とから構成される２層構造とされる。
【００４３】
背面本体層６１は、粘着剤層７の上面に設けられる樹脂層である。背面本体層６１を構成する材料に含まれる樹脂として、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー系樹脂等が挙げられる。これらの樹脂は、１種類が単独で用いられてもよく、複数種類が混合して用いられてもよい。また、背面本体層６１の透明性及び耐候性等を高める観点からは、背面層６は、アクリル系樹脂、ウレタン系樹脂、フッ素系樹脂、ポリカーボネート系樹脂等からなることが好ましい。
【００４４】
背面本体層６１を構成する材料は着色剤を含んでもよいし、着色剤を含まなくてもよい。着色剤を含まない場合、背面本体層６１の色は概ね透明とされる。本実施形態では、背面本体層６１は複数の着色剤を含んでおり、背面本体層６１の所定の領域ごとに異なる着色剤が含まれる。こうして、背面本体層６１に、所定の色彩パターンが形成される。なお、これら着色剤として、例えば、無機顔料、有機顔料、有機染料、パール顔料等を用いることができる。
【００４５】
上記無機顔料の例として、酸化チタン、炭酸カルシウム、硫酸バリウム、酸化亜鉛、硫化亜鉛、カーボンブラック、カドミウムレッド、モリブデンレッド、群青、コバルトブルー、弁柄、酸化クロム、鉄黒、カドミウムイエロー、チタンイエロー、ニッケルチタンイエロー、クロムチタンイエロー、黄鉛、黄色酸化鉄、クロムオレンジ、カドミウムオレンジ、金粉、銀粉、銅粉、アルミニウム粉、ブロンズ粉等を挙げることができる。また、上記有機顔料及び有機染料の例として、アントラキノン系、フタロシアニン系、キナクリドン系、イソインドリノン系、ジオキサジン系、キノフタロン系、キノイミン系、ペリレン系、ペリノン系、アゾ系、キノリン系、メチン系、インジゴ系、ナフトールイミド系などの有機化合物を挙げることができる。また、上記パール顔料の例として、酸化チタン被覆雲母、酸化塩化ビスマス、魚鱗粉、塩基性炭酸鉛等を挙げることができる。
【００４６】
また、紫外線吸収剤、光安定剤、熱安定剤、可塑剤、架橋剤、酸化防止剤、防カビ剤等の様々な添加剤を背面本体層６１に適宜添加することができる。
【００４７】
第１印刷層６２は、背面本体層６１の再帰反射素子４側の面に設けられる樹脂層であり、背面本体層６１の全面を覆っている。第１印刷層６２を構成する材料に含まれる樹脂として、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー系樹脂、エポキシ系樹脂等が挙げられる。これらの樹脂は、１種類が単独で用いられてもよく、複数種類が混合して用いられてもよい。また、第１印刷層６２の透明性及び耐候性等を高める観点からは、第１印刷層６２は、アクリル系樹脂、ウレタン系樹脂、フッ素系樹脂、ポリカーボネート系樹脂等からなることが好ましい。
【００４８】
本実施形態において、第１印刷層６２を構成する材料は数種類の着色剤を含んでおり、第１印刷層６２の所定の領域ごとに異なる着色剤が含まれる。こうして、第１印刷層６２に、所定の色彩パターンが形成される。具体的には、第１印刷層６２を構成する材料に含まれる着色剤として、例えば、無機顔料、有機顔料、有機染料、パール顔料等を用いることができる。
【００４９】
上記無機顔料の例として、酸化チタン、炭酸カルシウム、硫酸バリウム、酸化亜鉛、硫化亜鉛、カーボンブラック、カドミウムレッド、モリブデンレッド、群青、コバルトブルー、弁柄、酸化クロム、鉄黒、カドミウムイエロー、チタンイエロー、ニッケルチタンイエロー、クロムチタンイエロー、黄鉛、黄色酸化鉄、クロムオレンジ、カドミウムオレンジ、金粉、銀粉、銅粉、アルミニウム粉、ブロンズ粉等を挙げることができる。また、上記有機顔料及び有機染料の例として、アントラキノン系、フタロシアニン系、キナクリドン系、イソインドリノン系、ジオキサジン系、キノフタロン系、キノイミン系、ペリレン系、ペリノン系、アゾ系、キノリン系、メチン系、インジゴ系、ナフトールイミド系などの有機化合物を挙げることができる。また、上記パール顔料の例として、酸化チタン被覆雲母、酸化塩化ビスマス、魚鱗粉、塩基性炭酸鉛等を挙げることができる。
【００５０】
また、紫外線吸収剤、光安定剤、熱安定剤、可塑剤、架橋剤、酸化防止剤、防カビ剤等の様々な添加剤を第１印刷層６２に適宜添加することができる。
【００５１】
また、このような第１印刷層６２は、通常、グラビア印刷、スクリーン印刷、フレキソ印刷、及びインクジェット印刷などの手段によって形成することができる。
【００５２】
第１印刷層６２は、上記第１領域１０Ａにおいて所定の色に着色され、本実施形態では例えば緑色に着色される。また、第１印刷層６２は、上記第２領域１０Ｂにおいて第１領域１０Ａとは異なる色に着色され、本実施形態では例えば青色に着色される。また、第１印刷層６２は、上記第３領域１０Ｃにおいて第１領域１０Ａ及び第２領域１０Ｂとは異なる色に着色され、本実施形態では例えば赤色に着色される。このように、第１印刷層６２は、第１領域１０Ａ側から第３領域１０Ｃ側に向かって緑色、青色、及び赤色に配色された色彩パターンを含んでいる。
【００５３】
こうして、再帰反射シート１０の第１領域１０Ａでは、緑色に着色された第１印刷層６２に幅Ｌ１の接着部５Ａが接着され、第２領域１０Ｂでは、青色に着色された第１印刷層６２に幅Ｌ２の接着部５Ｂが接着され、第３領域１０Ｃでは、赤色に着色された第１印刷層６２に幅Ｌ３の接着部５Ｃが接着される。このように、本実施形態の再帰反射シート１０では、結合層５のうち背面層６に接着する接着部５Ａ〜５Ｃの幅が、背面層６のうち接着部５Ａ〜５Ｃが接着する部分における色に応じて相違する。
【００５４】
ところで、図１に示すように、再帰反射層２のうち結合層５が接着されない部分は、再帰反射素子４が空隙９を介して背面層６と対向する部分である。したがって、第１領域１０Ａでは、接着部５Ａが接着されない部分が空隙９を介して再帰反射素子４に対向する素子対向領域１０Ａｆとなる。同様に、第２領域１０Ｂでは接着部５Ｂが接着されない部分が素子対向領域１０Ｂｆとなり、第３領域１０Ｃでは接着部５Ｃが接着されない部分が素子対向領域１０Ｃｆとなる。
【００５５】
上述のように、接着部５Ａ〜５Ｃの幅Ｌ１〜Ｌ３の大きさの関係は、Ｌ２＞Ｌ１＞Ｌ３である。このため、本実施形態では、第２領域１０Ｂの素子対向領域１０Ｂｆが最も小さくなり得、第１領域１０Ａの素子対向領域１０Ａｆが素子対向領域１０Ｂｆよりも大きくなり得、第３領域１０Ｃの素子対向領域１０Ｃｆが最も大きくなり得る。したがって、本実施形態の再帰反射シート１０によれば、再帰反射条件において、第２領域１０Ｂにおいて再帰反射される光が最も少なく、第３領域１０Ｃにおいて再帰反射される光が最も多くなり得る。
【００５６】
粘着剤層７は、背面層６の再帰反射層２側とは反対側に設けられ、再帰反射シート１０を使用する際に被着体に貼り付けられる層である。
【００５７】
粘着剤層７を構成する材料として、例えば、感圧接着剤、感熱型接着剤、架橋型接着剤などから適宜選択することができる。感圧接着剤として、例えば、ブチルアクリレート、２−エチルヘキシルアクリレート、イソオクチルアクリレート、ノニルアクリレートなどのアクリル酸エステルをアクリル酸、酢酸ビニルなどと共重合して得られるポリアクリル酸エステル感圧接着剤、シリコーン系樹脂感圧接着剤、ゴム系感圧接着剤等が挙げられる。感熱型接着剤として、例えば、アクリル系樹脂、ポリエステル系樹脂、エポキシ系樹脂等が挙げられる。粘着剤層７に優れた耐候性及び粘着性を備えさせる観点からは、アクリル系樹脂またはシリコーン系樹脂を用いることが好ましい。
【００５８】
剥離層８は、粘着剤層７の背面層６側とは反対側に設けられる層である。再帰反射シート１０の使用前に剥離層８が粘着剤層７を覆うことによって、粘着剤層７にゴミ等が付着したり、粘着剤層７が意図しない場所に付着したりすることが抑制される。一方、再帰反射シート１０が使用されるときには、剥離層８は粘着剤層７から剥離される。
【００５９】
このような剥離層８は、特に限定されないが、例えば、ポリエステルフィルム、ポリプロピレンフィルム、紙等で構成される。
【００６０】
以下、このような再帰反射シート１０の作用効果について説明する。
【００６１】
上述のように、本実施形態の再帰反射シート１０は、一方の面に複数の再帰反射素子４を有する再帰反射層２と、再帰反射層２の再帰反射素子４側の面に対向して設けられ、所定の色彩パターンを有する背面層６と、再帰反射層２の一部と背面層６の一部とに接着する光透過性の結合層５と、を備えており、結合層５のうち背面層６に接着する接着部５Ａ〜５Ｃの幅が、背面層６のうち接着部５Ａ〜５Ｃが接着する部分における色に応じて相違している。
【００６２】
このような本実施形態の再帰反射シート１０によれば、昼間などの通常条件において背面層６に施された上記色彩パターンの色合いが変化なく視認され得る。すなわち、通常条件では、背面本体層６１に施された色彩パターンと、第１領域１０Ａ側から第３領域１０Ｃ側に向かって緑色、青色、及び赤色に配色された第１印刷層６２の色彩パターンとの組み合わせからなる色彩パターンが視認され得る。しかし、上記色彩パターンは再帰反射層２の再帰反射素子４側の面に対向して設けられる背面層６に施されている。このため、再帰反射条件において再帰反射素子４側とは反対側である表面保護層１から光が入射した場合、当該光の多くが背面層６に達する前に再帰反射素子４によって再帰反射される。したがって、上記色彩パターンが通常条件とは異なった見え方になり得る。具体的には、再帰反射条件において、上記色彩パターンが白みがかった、又は黒みがかった色合いで視認される傾向が強くなる。
【００６３】
本実施形態の再帰反射シート１０では、接着部５Ａ〜５Ｃの幅が、背面層６のうち接着部５Ａ〜５Ｃが接着する部分の色に応じて相違する。このような構成によれば、上述のように、幅の広い接着部が接着する領域では、再帰反射する光の量が相対的に少なくなり得、再帰反射の影響が相対的に小さくなり得る。その結果、背面層６のうち幅の広い接着部が接着する領域の再帰反射条件における見え方は、通常条件で視認される色合いと比較的近い色合いになり得る。例えば、最も幅の広い接着部５Ｂが接着する領域である第２領域１０Ｂの再帰反射条件における見え方は、背面本体層６１の第２領域１０Ｂにおける色と第１印刷層６２の第２領域１０Ｂにおける青色とが合成された色合いに近くなり得る。
【００６４】
一方、幅の狭い接着部が接着する領域では、上述のように、再帰反射する光の量が相対的に多くなり得、再帰反射の影響が相対的に大きくなり得る。その結果、再帰反射層２のうち幅の狭い接着部が接着する領域の再帰反射条件における見え方は、白みがかった、又は黒みがかった色合いになり得る。例えば、最も幅の狭い接着部５Ｃが接着する領域である第３領域１０Ｃの再帰反射条件における見え方は、白みがかった、又は黒みがかった色合いに近くなる。
【００６５】
このように、本実施形態では、再帰反射シート１０の再帰反射条件における見え方は、幅の広い接着部が接着することによって通常条件に近い色合いで視認される部分と、幅の狭い接着部が接着することによって白みがかった、又は黒みがかった色合いで視認される部分とが混在する見え方となる。したがって、本実施形態の再帰反射シート１０によれば、再帰反射条件において再帰反射シートに施された色彩パターンの見え方を多様にし得る。
【００６６】
また、本実施形態の再帰反射シート１０によれば、上述のように、背面層６が背面本体層６１と第１印刷層６２との２層で形成される。したがって、本実施形態の再帰反射シート１０によれば、背面本体層６１に施された色彩パターンと、第１印刷層６２に施された色彩パターンとを組み合わせて再帰反射シート１０の色彩パターンを形成し得るため、背面層６が１層のみからなる場合に比べて、再帰反射シート１０の色彩パターンを多様にすることができる。
【００６７】
なお、本実施形態において背面本体層６１の色彩パターンは単色であってもよく、例えば、背面本体層６１の全体を透明にしてもよい。この場合であっても、第１印刷層６２によって背面層６に色彩パターンを形成することができる。
【００６８】
（第２実施形態）
次に、第２実施形態について説明する。なお、第１実施形態と同一又は同等の構成要素について、特に説明する場合を除き、同一の参照符号を付して重複する説明を省略する。
【００６９】
図２は、第２実施形態に係る再帰反射シート１０を図１と同様の視点で示す図である。図２に示すように、本実施形態の再帰反射シート１０は、第１実施形態に係る再帰反射シート１０と概ね同じ構成を有するが、背面層６の第１印刷層６２が背面本体層６１の一部を覆う点において、第１印刷層６２が背面本体層６１の全面を覆う第１実施形態に係る再帰反射シート１０と主に異なる。以下、この点について説明する。
【００７０】
本実施形態において、第１印刷層６２は、背面本体層６１の上面に部分的に印刷されている。この第１印刷層６２の配色は特に限定されないが、本実施形態では、第１印刷層６２は、再帰反射シート１０の第１領域１０Ａにおいて例えば緑色に着色され、第２領域１０Ｂにおいて例えば青色に着色され、第３領域１０Ｃにおいて例えば赤色に着色される。すなわち、第１印刷層６２は、第１実施形態と同様に、第１領域１０Ａから第３領域１０Ｃに向かって緑色、青色、及び赤色に配色された色彩パターンを有している。
【００７１】
本実施形態の再帰反射シート１０は、第１実施形態の再帰反射シート１０と同様に、３種類の接着部５Ａ〜５Ｃを有している。すなわち、本実施形態の再帰反射シート１０は、第１領域１０Ａに位置する接着部５Ａと、第２領域１０Ｂに位置する接着部５Ｂと、背面本体層６１の第３領域１０Ｃに位置する接着部５Ｃとを有している。これらの接着部５Ａ〜５Ｃの幅Ｌ１〜Ｌ３の大きさの関係は、第１実施形態と同様に、Ｌ２＞Ｌ１＞Ｌ３とされる。このように、本実施形態の再帰反射シート１０では、第１実施形態と同様に、結合層５のうち背面層６に接着する接着部５Ａ〜５Ｃの幅が、背面層６のうち接着部５Ａ〜５Ｃが接着する部分における色に応じて相違する。
【００７２】
接着部５Ａは、第１領域１０Ａにおける背面本体層６１と、緑色に着色された第１印刷層６２との両方に接着している。また、接着部５Ａは、背面本体層６１に接着する面積よりも第１印刷層６２に接着する面積の方が大きくなるように形成されている。
【００７３】
接着部５Ｂは、第２領域１０Ｂにおける背面本体層６１と、青色に着色された第１印刷層６２との両方に接着している。また、接着部５Ｂは、第１印刷層６２に接着する面積よりも背面本体層６１に接着する面積の方が大きくなるように形成されている。
【００７４】
接着部５Ｃは、第３領域１０Ｃにおける背面本体層６１と、赤色に着色された第１印刷層６２との両方に接着している。また、接着部５Ｃは、背面本体層６１に接着する面積よりも第１印刷層６２に接着する面積の方が大きくなるように形成されている。
【００７５】
以上のような本実施形態に係る再帰反射シート１０によれば、以下のような作用効果が得られ得る。
【００７６】
上述のように、本実施形態の再帰反射シート１０では、第１実施形態と同様に、接着部５Ａ〜５Ｃの幅が、背面層６のうち接着部５Ａ〜５Ｃが接着する部分における色に応じて相違している。具体的には、上述のように、接着部５Ａ〜５Ｃの幅Ｌ１〜Ｌ３は、接着する部分における色に応じて、Ｌ２＞Ｌ１＞Ｌ３とされる。したがって、再帰反射条件において再帰反射シートに施された色彩パターンの見え方を多様にし得る。
【００７７】
また、上述のように、本実施形態の再帰反射シート１０では、背面層６が背面本体層６１と第１印刷層６２との２層構造とされる。したがって、第１実施形態と同様に、背面層６が１層のみからなる場合に比べて、再帰反射シートの色彩パターンを多様にすることができる。
【００７８】
また、上述のように、本実施形態の再帰反射シート１０によれば、接着部５Ａ〜５Ｃは、背面本体層６１及び第１印刷層６２の両方に接着しており、接着部５Ａ〜５Ｃのうち接着部５Ａ，５Ｃは、背面本体層６１に接着する面積よりも第１印刷層６２に接着する面積の方が大きくなるように構成されている。このため、接着部５Ａ，５Ｃを透過する光は、背面本体層６１よりも第１印刷層６２に多く到達し得る。したがって、接着部５Ａ，５Ｃが接着する領域の再帰反射条件における見え方は、第１印刷層６２の色がより強く反映された見え方になり得る。一方、接着部５Ｂは、第１印刷層６２に接着する面積よりも背面本体層６１に接着する面積の方が大きくなるように構成されている。このため、接着部５Ｂを透過する光は、第１印刷層６２よりも背面本体層６１に多く到達し得る。したがって、接着部５Ｂが接着する領域の再帰反射条件における見え方は、背面本体層６１の色がより強く反映された見え方になり得る。このように、本実施形態の再帰反射シート１０によれば、接着部５Ａ〜５Ｃが背面本体層６１及び第１印刷層６２の両方に接着しているため、上記のように、背面本体層６１に接着する面積と第１印刷層６２に接着する面積との比率を、接着部が接着する背面層６の色に応じて変化させることで、再帰反射条件において再帰反射シートに施された色彩パターンの見え方をより多様にし得る。
【００７９】
なお、接着部の少なくとも一部が背面本体層６１及び第１印刷層６２の両方に接着していれば、当該接着部が背面本体層６１に接着する面積と第１印刷層６２に接着する面積との比率を変えて色彩パターンの見え方を効果的に多様にし得、接着部のすべてが背面本体層６１及び第１印刷層６２の両方に接着していれば、色彩パターンの見え方をさらに効果的に多様にし得る。
【００８０】
また、第１実施形態と同様に、本実施形態において背面本体層６１の色彩パターンは単色であってもよく、例えば、背面本体層６１の全体を透明にしてもよい。この場合であっても、第１印刷層６２によって背面層６に色彩パターンを形成することができる。
【００８１】
また、本実施形態の再帰反射シート１０は、結合層５と第１印刷層６２との接着強度が、結合層５と背面本体層６１との接着強度よりも低くなるように構成されてもよい。この場合、背面層６から結合層５を剥がそうとした際、第１印刷層６２と結合層５との接着強度が背面本体層６１と結合層５との接着強度よりも弱いため、結合層５が背面層６と接着する部分のうち、第１印刷層６２に接着している部分が背面層６から優先的に剥がれ得る。したがって、背面層６に施された色彩パターンに由来する図柄や文字等の改ざんを防止し得る。
【００８２】
（第３実施形態）
次に、第３実施形態について説明する。なお、第１実施形態と同一又は同等の構成要素について、特に説明する場合を除き、同一の参照符号を付して重複する説明を省略する。
【００８３】
図３は、第３実施形態に係る再帰反射シート１０を図１と同様の視点で示す図である。図３に示すように、本実施形態の再帰反射シート１０は、第１実施形態に係る再帰反射シート１０と概ね同じ構成を有するが、第１印刷層６２を備えない点において、第１印刷層６２を備える第１実施形態に係る再帰反射シート１０と主に異なる。以下、この点について説明する。
【００８４】
本実施形態において、背面層６は１層構造とされ、粘着剤層７の上面に設けられる樹脂層とされる。背面層６を構成する材料に含まれる樹脂として、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー系樹脂等が挙げられる。これらの樹脂は、１種類が単独で用いられてもよく、複数種類が混合して用いられてもよい。また、背面層６の透明性及び耐候性等を高める観点からは、背面層６は、アクリル系樹脂、ウレタン系樹脂、フッ素系樹脂、ポリカーボネート系樹脂等からなることが好ましい。
【００８５】
本実施形態では、背面層６を構成する材料は数種類の着色剤を含んでおり、背面層６の所定の領域ごとに異なる着色剤が含まれる。こうして、背面層６に、所定の色彩パターンが形成される。具体的には、背面層６を構成する材料に含まれる着色剤として、例えば、無機顔料、有機顔料、有機染料、パール顔料等を用いることができる。
【００８６】
上記無機顔料の例として、酸化チタン、炭酸カルシウム、硫酸バリウム、酸化亜鉛、硫化亜鉛、カーボンブラック、カドミウムレッド、モリブデンレッド、群青、コバルトブルー、弁柄、酸化クロム、鉄黒、カドミウムイエロー、チタンイエロー、ニッケルチタンイエロー、クロムチタンイエロー、黄鉛、黄色酸化鉄、クロムオレンジ、カドミウムオレンジ、金粉、銀粉、銅粉、アルミニウム粉、ブロンズ粉等を挙げることができる。また、上記有機顔料及び有機染料の例として、アントラキノン系、フタロシアニン系、キナクリドン系、イソインドリノン系、ジオキサジン系、キノフタロン系、キノイミン系、ペリレン系、ペリノン系、アゾ系、キノリン系、メチン系、インジゴ系、ナフトールイミド系などの有機化合物を挙げることができる。また、上記パール顔料の例として、酸化チタン被覆雲母、酸化塩化ビスマス、魚鱗粉、塩基性炭酸鉛等を挙げることができる。
【００８７】
また、紫外線吸収剤、光安定剤、熱安定剤、可塑剤、架橋剤、酸化防止剤、防カビ剤等の様々な添加剤を背面層６に適宜添加することができる。
【００８８】
背面層６は、上記第１領域１０Ａにおいて所定の色に着色され、本実施形態では例えば緑色に着色される。また、背面層６は、上記第２領域１０Ｂにおいて第１領域１０Ａとは異なる色に着色され、本実施形態では例えば青色に着色される。また、背面層６は、上記第３領域１０Ｃにおいて第１領域１０Ａ及び第２領域１０Ｂとは異なる色に着色され、本実施形態では例えば赤色に着色される。このように、第１印刷層６２は、第１領域１０Ａ側から第３領域１０Ｃ側に向かって緑色、青色、及び赤色に配色された色彩パターンを含んでいる。
【００８９】
本実施形態の再帰反射シート１０は、第１実施形態の再帰反射シート１０と同様に、３種類の接着部５Ａ〜５Ｃを有している。すなわち、本実施形態の再帰反射シート１０は、第１領域１０Ａに位置する接着部５Ａと、第２領域１０Ｂに位置する接着部５Ｂと、第３領域１０Ｃに位置する接着部５Ｃとを有している。これらの接着部５Ａ〜５Ｃの幅Ｌ１〜Ｌ３の大きさの関係は、第１実施形態と同様に、Ｌ２＞Ｌ１＞Ｌ３とされる。
【００９０】
このように、本実施形態の再帰反射シート１０では、第１実施形態と同様に、結合層５のうち背面層６に接着する接着部５Ａ〜５Ｃの幅が、背面層６のうち接着部５Ａ〜５Ｃが接着する部分における色に応じて相違する。したがって、再帰反射条件において再帰反射シートに施された色彩パターンの見え方を多様にし得る。
【００９１】
また、本実施形態の再帰反射シート１０では、背面層６が１層とされるため、背面層６を多層とする場合に比べて、製造コストを安価にすることができるとともに、製造速度を速めることができる。
【００９２】
（第４実施形態）
次に、第４実施形態について説明する。なお、第１実施形態と同一又は同等の構成要素について、特に説明する場合を除き、同一の参照符号を付して重複する説明を省略する。
【００９３】
図４は、第４実施形態に係る再帰反射シート１０を図３と同様の視点で示す図である。図４に示すように、本実施形態の再帰反射シート１０は、概ね第３実施形態に係る再帰反射シート１０と同様の構成を有するが、再帰反射層２の面Ｆ１上に第２印刷層２０が設けられている点において、このような第２印刷層２０が設けられない第３実施形態に係る再帰反射シート１０と主に異なる。以下、この点について説明する。
【００９４】
第２印刷層２０は、再帰反射層２と、当該再帰反射層２の再帰反射素子４側と反対側に設けられる表面保護層１との間に設けられており、具体的には、上述のように再帰反射層２の面Ｆ１上に設けられている。この第２印刷層２０は、光透過性の樹脂からなる層とされる。
【００９５】
第２印刷層２０を構成する材料に含まれる樹脂として、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー系樹脂、エポキシ系樹脂等が挙げられる。これらの樹脂は、１種類が単独で用いられてもよく、複数種類が混合して用いられてもよい。また、第２印刷層２０の透明性及び耐候性等を高める観点からは、第２印刷層２０は、アクリル系樹脂、ウレタン系樹脂、フッ素系樹脂、ポリカーボネート系樹脂等からなることが好ましい。
【００９６】
本実施形態では、第２印刷層２０を構成する材料は数種類の着色剤を含んでおり、第２印刷層２０の所定の領域ごとに異なる着色剤が含まれる。こうして、第２印刷層２０に、所定の色彩パターンが形成される。具体的には、第２印刷層２０を構成する材料に含まれる着色剤として、例えば、無機顔料、有機顔料、有機染料、パール顔料等を用いることができる。
【００９７】
上記無機顔料の例として、酸化チタン、炭酸カルシウム、硫酸バリウム、酸化亜鉛、硫化亜鉛、カーボンブラック、カドミウムレッド、モリブデンレッド、群青、コバルトブルー、弁柄、酸化クロム、鉄黒、カドミウムイエロー、チタンイエロー、ニッケルチタンイエロー、クロムチタンイエロー、黄鉛、黄色酸化鉄、クロムオレンジ、カドミウムオレンジ、金粉、銀粉、銅粉、アルミニウム粉、ブロンズ粉等を挙げることができる。また、上記有機顔料及び有機染料の例として、アントラキノン系、フタロシアニン系、キナクリドン系、イソインドリノン系、ジオキサジン系、キノフタロン系、キノイミン系、ペリレン系、ペリノン系、アゾ系、キノリン系、メチン系、インジゴ系、ナフトールイミド系などの有機化合物を挙げることができる。また、上記パール顔料の例として、酸化チタン被覆雲母、酸化塩化ビスマス、魚鱗粉、塩基性炭酸鉛等を挙げることができる。
【００９８】
また、紫外線吸収剤、光安定剤、熱安定剤、可塑剤、架橋剤、酸化防止剤、防カビ剤等の様々な添加剤を第２印刷層２０に適宜添加することができる。
【００９９】
また、このような第２印刷層２０は、通常、グラビア印刷、スクリーン印刷、フレキソ印刷、及びインクジェット印刷などの手段によって形成することができる。
【０１００】
このような構成によれば、背面層６に施された色彩パターンと第２印刷層２０に施された色彩パターンとから再帰反射シート１０の色彩パターンを形成し得るため、第２印刷層２０を設けない場合に比べて、再帰反射条件において再帰反射シート１０に施された色彩パターンの見え方をより多様にし得る。また、第１及び第２実施形態のように第１印刷層６２をさらに設けることで、再帰反射条件において再帰反射シート１０に施された色彩パターンの見え方をより多様にし得る。
【０１０１】
以上、本発明について好適な実施形態を例に説明したが、本発明はこれに限定されるものではない。
【０１０２】
例えば、背面層６が赤外線吸収性を有してもよい。また、背面層６が背面本体層６１及び第１印刷層６２の２層構造とされる場合、背面本体層６１及び第１印刷層６２の少なくとも一方が赤外線吸収性を有してもよい。このような構成により、赤外線カメラ等で認識される再帰反射シート１０の色彩パターンを、赤外線吸収性を有しない他の再帰反射シートの色彩パターンと異ならせ得、偽造し難い再帰反射シートを実現し得る。
【０１０３】
また、背面層６が赤外線反射性を有してもよい。また、背面層６が背面本体層６１及び第１印刷層６２の２層構造とされる場合、背面本体層６１及び第１印刷層６２の少なくとも一方が赤外線反射性を有してもよい。このような構成により、赤外線カメラ等で認識される再帰反射シート１０の色彩パターンを、赤外線反射性を有しない他の再帰反射シートの色彩パターンと異ならせ得、偽造し難い再帰反射シートを実現し得る。
【０１０４】
また、再帰反射層２が赤外線吸収性を有してもよい。この場合、赤外線が再帰反射シート１０で再帰反射することを抑制することができる。再帰反射シートをナンバープレート用途で用いる場合、自動ナンバープレート認識システム（ＡＬＰＲ）等で画像化すると、ハレーションにより視認性が低くなり得、ナンバープレートの文字を読み取れなくなることがある。再帰反射層２に赤外線吸収性を付与することで、赤外線でシートを見た場合に再帰反射シートの色彩パターンが暗く見え、ハレーションが抑制され得る。その結果、ＡＬＰＲシステム等による読み取り性、検出性を向上させ得る。
【０１０５】
また、再帰反射層２が赤外線反射性を有してもよい。この場合、再帰反射シート１０における赤外線の再帰反射性を向上させ得る。再帰反射層に赤外線反射性を付与することで、再帰反射シートを例えば対象物検出システム等に用いる場合において、赤外線カメラ等による検出性を大幅に向上させ得る。また、赤外線視認装置等によってのみ検知される人の目に視認され難い標識を実現し得る。
【０１０６】
また、結合層５の少なくとも一部に透明以外の色が施されてもよい。この場合、背面層６に施された色彩パターンと結合層５に施された色彩パターンとから再帰反射シート１０の色彩パターンを形成し得るため、結合層５の全体が透明である場合に比べて、再帰反射条件において再帰反射シート１０に施された色彩パターンの見え方をより多様にし得る。
【０１０７】
また、上述の実施形態で記載した背面層６の色彩パターンは例示的なものであり、背面層６の色彩パターンは適宜変更することができる。すなわち、背面層６の配色パターンを第１〜第４実施形態の配色パターンから変更してもよい。例えば、第１領域１０Ａ側から第３領域１０Ｃ側に向かって黄色、透明、及び紫色に配色された色彩パターンを形成してもよいし、より多数の色を用いて色彩パターンを形成してもよい。
【０１０８】
また、上述の実施形態では、接着部５Ａ〜５Ｃの幅の大きさの関係がＬ２＞Ｌ１＞Ｌ３である例を説明した。しかし、接着部５Ａ〜５Ｃのそれぞれの幅が背面層６のうち接着部が接着する部分における色に応じて相違するのであれば、接着部５Ａ〜５Ｃの幅の大きさの関係は適宜変更することができる。
【０１０９】
また、上述の実施形態では、再帰反射シート１０が互いに幅の異なる３種類の接着部５Ａ〜５Ｃを含んでいる例を説明したが、接着部のそれぞれの幅が、背面層６のうち接着部が接着する部分における色に応じて相違するのであれば、幅の異なる接着部の種類は２であってもよく、４以上であってもよい。
【０１１０】
また、背面層６が互いに色の異なる背面本体層６１と第１印刷層６２とを含む場合、再帰反射シート１０の厚さ方向の所定の断面において、結合層５の一部における接着部が全幅にわたって背面本体層６１に接着し、結合層５の他の一部における接着部が全幅にわたって第１印刷層６２に接着してもよい。この場合、全幅にわたって背面本体層６１に接着する接着部と、全幅にわたって第１印刷層６２に接着する接着部とは、それぞれ、背面層６のうち異なる色に着色された部分に接着することになる。したがって、これらの接着部の幅を、背面本体層６１の色と第１印刷層６２の色とに応じて相違させることで、色彩パターンの見え方を多様にし得る。
【産業上の利用可能性】
【０１１１】
以上説明したように、本発明によれば、再帰反射条件において再帰反射シートに施された色彩パターンの見え方を多様にし得る再帰反射シートが提供され、案内標識や広告看板等、再帰反射を利用する様々な分野においての利用することができる。
【符号の説明】
【０１１２】
１０・・・再帰反射シート
１０Ａ・・・第１領域
１０Ｂ・・・第２領域
１０Ｃ・・・第３領域
１・・・表面保護層
２・・・再帰反射層
４・・・再帰反射素子
５・・・結合層
５Ａ〜５Ｃ・・・接着部
６・・・背面層
２０・・・第２印刷層
６１・・・背面本体層
６２・・・第１印刷層
【図１】
2020166051.tif 000003
【図２】
2020166051.tif 000004
【図３】
2020166051.tif 000005
【図４】
2020166051.tif 000006